(57)【特許請求の範囲】
【請求項１】
入力側の円錐形ディスク対と、出力側の円錐形ディスク対と、これらの円錐形ディスク対を取り囲んで緊締する巻掛け手段とを備えた円錐形ディスク式巻掛け伝動装置であって、各円錐形ディスク対の円錐形ディスク間の間隔が、伝達比調節のためにそれぞれ逆向きで調節可能である形式のものにおいて、
入力側の円錐形ディスク対を、該円錐形ディスク対の円錐形ディスクの間隔が大きい場合に、この間隔を縮小する方向で予負荷するばね装置が設けられており、該ばね装置は、前記円錐形ディスクを互いに押圧する力が、前記円錐形ディスクの大きな間隔から出発してまず増大し、最大値を通った後で減少するように形成されており、前記力の減少が増大よりも急激であり、両円錐形ディスク対の円錐形ディスク間の間隔が１：１の伝達比に相当する値に近づくと、前記ばね装置のばね力がゼロに減少することを特徴とする、円錐形ディスク式巻掛け伝動装置。
【請求項２】
ばね装置が、伝動装置の入力軸に対して相対的に軸方向可動な円錐形ディスクと、入力軸に固定された構成部材との間で支持された皿ばねによって形成されている、請求項１記載の円錐形ディスク式巻掛け伝動装置。
【請求項３】
皿ばねが、半径方向外側では軸に固定された構成部材に収容されており且つ半径方向内側では移動可能な円錐形ディスクに支持されている、請求項２記載の円錐形ディスク式巻掛け伝動装置。
【発明の詳細な説明】
【０００１】
【発明の属する技術分野】
本発明は、入力側の円錐形ディスク対と、出力側の円錐形ディスク対と、これらの円錐形ディスク対を取り囲んで緊締する巻掛け手段とを備えた円錐形ディスク式巻掛け伝動装置であって、各円錐形ディスク対の円錐形ディスク間の間隔が、伝達比調節のためにそれぞれ逆向きで調節可能である形式のものに関する。
【０００２】
【従来の技術】
このような形式の円錐形ディスク式巻掛け伝動装置は、一般に公知である。このような伝動装置の重要な周面部が、円錐形ディスク式巻掛け伝動装置の機構のコア若しくはバリオメータを断面して示した図３に示されている。入力軸２は、自動車の駆動モータ（図示せず）によって駆動される。円錐形ディスク対６の第１の円錐形ディスク４は入力軸２に不動に結合されているか若しくは入力軸２と一体に形成されており、他方の円錐形ディスク８は、入力軸２と相対回動不能に、しかし軸方向で摺動可能に結合されている。更に、入力軸２には支持リング構成部材１０が不動に固定されており、この支持リング構成部材１０と前記円錐形ディスク８との間には、回転トルクに関連した液圧力によって負荷される圧力室１２と、調節液圧力によって負荷される調節室１４とが形成されている。これらの室の圧力媒体負荷は、入力軸２内に形成された複数の通路及び対応する貫通孔（個別には説明せず）を介して行われる。
【０００３】
出力軸２２は、入力軸２と類似の形式で円錐形ディスク対と所属の液圧室とに結合されており、この場合、相互に対応する構成部材には、それぞれ２０を足した符号が付されている。円錐形ディスク対６，２６は、巻掛け手段４０によって取り囲まれて緊締されており、この巻掛け手段４０は、入力軸２の回転を出力軸２２の回転に伝達し、エンジンブレーキ作動時には逆に、出力軸２２の回転を入力軸２の回転に伝達する。図示の位置では、円錐形ディスク４，８間の間隔は最大であり、円錐形ディスク２４，２８間の間隔は最小なので、伝動装置は可能となる最小伝達比を有しているか、若しくはアンダドライブ（ＵＤ）状態にある。円錐形ディスク４，８間の間隔が小さくなり、これに対応して円錐形ディスク２４，２８間の間隔が大きくなると、伝動装置は伝達比１を有する位置を超えて徐々に増速してオーバドライブに移行する。
【０００４】
構成、機能及び制御は自体公知なので説明しない。
【０００５】
例えば図３に示したような、冒頭で述べた形式の円錐形ディスク式巻掛け伝動装置では、多くの理由に基づき、伝動装置の油供給、つまり潤滑する必要のある位置に潤滑油を供給する油圧を、モータ回転数に関連させることが一般的である。モータの故障及びこの故障に基づき必然的な惰行運転は、特に伝動装置の図示のアンダドライブ位置において円錐形ディスク対６を著しく急速に回転させるのに対して、車両の駆動輪に結合された円錐形ディスク対２６は低速でしか回転させられない。高い回転数は、モータ側の円錐形ディスク対６延いては関連する構成部材における損傷をもたらす恐れがある。
【０００６】
【発明が解決しようとする課題】
本発明の課題は、前記の問題のための対策を講じることである。
【０００７】
【課題を解決するための手段】
この課題を解決するために本発明では、入力側の円錐形ディスク対を、該円錐形ディスク対の円錐形ディスクの間隔が大きい場合に、この間隔を縮小する方向で予負荷するばね装置が設けられているようにした。
【０００８】
【発明の効果】
本発明により設けられたばね装置は、モータが停止し且つ場合によっては伝動装置が更に液圧媒体圧力によって負荷される場合でも、伝動装置若しくはバリオメータを惰行運転においてアンダドライブ位置から引き出す力が、移動可能な円錐形ディスク８（図３）に加えられるために働くので、入力側の円錐形ディスク対６の回転数は減少し、損傷の危険が減少若しくは完全に防止されている。
【０００９】
従属請求項は、本発明による円錐形ディスク式巻掛け伝動装置の有利な構成を目指すものである。
【００１０】
本発明は、円錐形ディスク式巻掛け伝動装置が惰行運転において使用される恐れがあり且つ潤滑不足及び入力側の円錐形ディスク対の過度に高い回転数の危険が存在するところではどこでも適用され得る。
【００１１】
【発明の実施の形態】
以下に、本発明の実施の形態を図面につき詳しく説明する。
【００１２】
図１には図３に示した円錐形ディスク対６が示されており、図３と同じ符号が使用されている。
【００１３】
図１に示した円錐形ディスク対６は、支持リング構成部材１０と、軸方向で移動可能な円錐形ディスク８との間で皿ばね２０が作動する点が、図３に示した円錐形ディスク対６と異なっている。皿ばね２０は、支持リング構成部材１０の外側の円筒形領域の内側に設けられた周溝２２に収容されており且つこの周溝２２の半径方向内側で、円錐形ディスク８のカラー２４に支持されている。
【００１４】
皿ばね２０は、力Ｋを伝動装置の伝達比ＵＥ若しくは円錐形ディスク４，８間の間隔に関連して示す図２の曲線に基づいた力経過が得られるように形成されている。この場合、前記力は図１では右側に向かって円錐形ディスクに作用する。図示のように、図１では右側に向かって作用する力は、アンダドライブＵＤの領域、つまり実際の運転で最大限に生じる円錐形ディスク４，８間の間隔ａの領域で、更に大きな間隔ａに基づいて最小値を通り、次いで最大値を通るために増大され、前記円錐形ディスクの間隔が伝動装置の伝達比１：１に相当する値に減少されると、０値に低下する。円錐形ディスク４，８が、伝動装置が徐々にオーバードライブに移行するように更に相互に接近させられると、カラー２４が円錐形ディスク８から持ち上がるので、皿ばね２０によって円錐形ディスク８に更に力が加えられることはない。
【００１５】
驚くべきことに、図３に示した惰行運転される伝動装置においては、位置ＵＤから１：１に向かって伝動装置を調節するために、まずは僅かな力しか必要ないということが明らかになった。しかし、この力はその後引き続き調節する際に著しく増大する。通常の走行運転において円錐形ディスク式巻掛け伝動装置の機能を妨げないようにするためには、皿ばね２０が、力要求をちょうど満たすように、つまり、伝達比１：１の直前で最大値に到達してから急激に低下するために、力が領域ＵＤから出発して著しく増大するように設定されている。明らかなように、力Ｋの増大がＵＤから出発して、次いで前記力が伝達比１：１の直前で減少するよりも緩やかに増大すると有利であり、従って最大値は伝達比位置１：１の近傍に位置している。
【００１６】
損傷を避けるために、惰行運転において伝動装置を位置１：１の近傍で作動させるには十分なので、皿ばね２０はＵＤと１：１付近との間の領域でしか力を加えない。他方では、別の伝達比域に伝達比を調節するための圧力要求は、皿ばねによっては完全に影響を及ぼされないままである。
【００１７】
皿ばねは、類似の特徴を有する別のばね装置で代替することができるということが明らかである。伝達比１：１の領域で力が０に減少することは、保持部材として構成された支持リング構成部材１０に取り付けられたストッパによって生ぜしめられてもよい。このストッパは、皿ばね又は別のばね装置の運動性を制限する。
【００１８】
入力側の円錐形ディスク対と、出力側の円錐形ディスク対と、これらの円錐形ディスク対を取り囲んで緊締している巻掛け手段とを備えており、しかも、各円錐形ディスク対の円錐形ディスク間の間隔が、それぞれ伝達比調節のために逆方向で調節可能な円錐形ディスク式巻掛け伝動装置は、入力側の円錐形ディスク対を、円錐形ディスクの間隔が大きい場合にこの間隔を縮小する方向で予負荷するばね装置を有している。
【００１９】
本願と共に提出される請求項は、引き続いて特許保護を得るための、先例無しの公式化提案である。出願人は、従来、実施例の説明及び／又は図面でしか開示されなかった別の特徴の組合せを更に請求する権限を有する。
【００２０】
従属請求項に使用された関連性は、各従属請求項の特徴に基づき請求項１の別の構成を示唆している。前記関連性は、関連する従属請求項の特徴の組合せに関して本発明の独立保護を得ることを放棄するものとして理解されるものではない。
【００２１】
従属請求項は、優先権主張日の従来技術に関して独立した発明を形成することができるので、出願人は前記発明を独立請求項又は分割出願にする権限を有している。更に、従属請求項は、先行の従属請求項とは無関係の構成を有する、独立した発明を含んでいてもよい。
【００２２】
前記実施例は、本発明を限定するものとして理解されるものではない。むしろ、本発明の枠内で多数の変化形が可能である。特に、例えば一般的な説明及び実施例並びに請求項に関連して説明され且つ図面に含まれた個々の特徴若しくは構成要素又は課題の解決手段に関する当業者のための方法ステップの組合せ又は変化に基づき明らかであり且つ組み合わされた特徴に基づき新しい発明又は製作法、試験法及び作業法に当たる新しい方法ステップ若しくは方法ステップ順序にもたらす、構成要素及び組合せ及び／又は材料等の変化が可能である。
【図面の簡単な説明】
【図１】本発明による皿ばねが装備された入力側の円錐形ディスク対を示した図である。
【図２】図１に示した皿ばねの有利な力経過特性線を説明するための曲線図である。
【図３】既に説明した自体公知の円錐形ディスク式巻掛け伝動装置の重要な構成部材を断面して示した図である。
【符号の説明】
２  入力軸、  ４，８，２４，２８  円錐形ディスク、  ６，２６  円錐形ディスク対、  １０  支持リング構成部材、  １２，３２  圧力室、  ２０  皿ばね、  ２２  周溝、  ２４  カラー、  ４０  巻掛け手段
【図１】
0004759684.tif 000002
【図２】
0004759684.tif 000003
【図３】
0004759684.tif 000004